(57)【要約】【課題】  制御手段の負荷を低減するとともに液晶パネルの温度変化を考慮した表示を行うことのできる車両用表示装置を提供する。【解決手段】  駆動信号に基づいて階調表示可能な液晶パネル３と、液晶パネル３の温度、あるいは液晶パネル３の周囲温度を検出する温度センサ１と、車両からの車両情報と温度センサ１からの温度情報とに基づいて前記駆動信号を生成し出力する制御手段２と、を備えた車両用表示装置であって、制御手段２は、異なる色味の画像情報を記憶部に複数パターン格納するとともに、温度センサ１からの温度情報が所定のしきい値以上であるか否かを判定する温度判定処理と、この温度判定処理の判定結果に基づいて前記複数パターンのうち何れかを選択する選択処理と、この選択処理によって前記駆動信号を生成し出力する表示処理と、を行う。【選択図】  図１
2009139174.tif 000002
【特許請求の範囲】
【請求項１】
駆動信号に基づいて階調表示可能な液晶パネルと、
前記液晶パネルの温度、あるいは前記液晶パネルの周囲温度を検出する検出手段と、
車両からの車両情報と前記検出手段からの温度情報とに基づいて前記駆動信号を生成し出力する制御手段と、を備えた車両用表示装置であって、
前記制御手段は、異なる色味の画像情報を記憶部に複数パターン格納するとともに、
前記検出手段からの温度情報が所定のしきい値以上であるか否かを判定する温度判定処理と、
この温度判定処理の判定結果に基づいて前記複数パターンのうち何れかを選択する選択処理と、
この選択処理によって前記駆動信号を生成し出力する表示処理と、
を行うことを特徴とする車両用表示装置。
【請求項２】
前記制御手段は、前記駆動信号に用いるための第１の画像情報と、この第１の画像情報よりも赤味を増した第２の画像情報と、を記憶部に格納するとともに、
前記温度判定処理の判定結果に基づいて、前記液晶パネルの温度が前記所定のしきい値以上であると判定した場合には、前記第１の画像情報を選択し、
前記液晶パネルの温度が前記所定のしきい値未満と判定した場合には、前記第２の画像情報を選択する選択処理を行うことを特徴とする請求項１に記載の車両用表示装置。
【請求項３】
前記制御手段は、前記車両情報に基づいて前記表示手段に表示させるための警報画面について第１の画像情報と、この第１の画像情報よりも赤味を増した第２の画像情報と、を記憶部に格納するとともに、
前記温度判定処理の判定結果に基づいて、前記液晶パネルの温度が前記所定のしきい値以上であると判定した場合には、前記第１の画像情報を選択し、
前記液晶パネルの温度が前記所定のしきい値未満と判定した場合には、前記第２の画像情報を選択する選択処理を行うことを特徴とする請求項１に記載の車両用表示装置。
【発明の詳細な説明】
【技術分野】
【０００１】
本発明は、液晶パネルを用いて車両情報を表示する車両用表示装置に関し、特に、使用される環境温度の範囲が大きな車両用表示装置に好適である。
【背景技術】
【０００２】
従来、液晶に電界を印加して液晶分子の配列を変形し、その際に生じる複屈折を利用して画像を表示する液晶パネルを用いた表示装置が知られており、この表示装置として、例えば、特許文献１に開示されている。
【０００３】
この種の液晶パネルを用いた車両用表示装置は、一定の電圧を液晶に印加した場合であっても、その温度により表示色が変化してしまい、表示品質が低下するという問題がある。この問題を解決するために、液晶パネルの温度と、液晶パネルの特性と、に応じて、表示色の変動を抑えるように、バックライト光源の出力を補正するなどして、表示色が一定になるようにしたものがある（例えば、特許文献２に開示）。
【特許文献１】特開２０００−２６７６２９号公報
【特許文献２】特開２００６−１７１６９３号公報
【発明の開示】
【発明が解決しようとする課題】
【０００４】
しかしながら、これらの液晶パネルを用いた車両用表示装置にあっては、温度情報に応じて色調を考慮しながらバックライトの照明出力を制御する処理や、液晶パネルの駆動信号の生成などの処理が随時必要となるため制御手段（マイクロコンピュータ）の負荷が大きくなってしまうという問題があった。
【０００５】
そこで本発明の目的とするところは、制御手段の負荷を低減するとともに液晶パネルの温度変化を考慮した表示を行うことのできる車両用表示装置を提供することにある。
【課題を解決するための手段】
【０００６】
本発明の車両用表示装置は、請求項１に記載したように、駆動信号に基づいて階調表示可能な液晶パネルと、前記液晶パネルの温度、あるいは前記液晶パネルの周囲温度を検出する検出手段と、車両からの車両情報と前記検出手段からの温度情報とに基づいて前記駆動信号を生成し出力する制御手段と、を備えた車両用表示装置であって、前記制御手段は、異なる色味の画像情報を記憶部に複数パターン格納するとともに、前記検出手段からの温度情報が所定のしきい値以上であるか否かを判定する温度判定処理と、この温度判定処理の判定結果に基づいて前記複数パターンのうち何れかを選択する選択処理と、この選択処理によって前記駆動信号を生成し出力する表示処理と、を行うことを特徴とする。
【０００７】
また、請求項２に記載したように、請求項１に記載の車両用表示装置において、前記制御手段は、前記駆動信号に用いるための第１の画像情報と、この第１の画像情報よりも赤味を増した第２の画像情報と、を記憶部に格納するとともに、前記温度判定処理の判定結果に基づいて、前記液晶パネルの温度が前記所定のしきい値以上であると判定した場合には、前記第１の画像情報を選択し、前記液晶パネルの温度が前記所定のしきい値未満と判定した場合には、前記第２の画像情報を選択する選択処理を行うことを特徴とする。
【０００８】
また、請求項３に記載したように、請求項１に記載の車両用表示装置において、前記制御手段は、前記車両情報に基づいて前記表示手段に表示させるための警報画面について第１の画像情報と、この第１の画像情報よりも赤味を増した第２の画像情報と、を記憶部に格納するとともに、前記温度判定処理の判定結果に基づいて、前記液晶パネルの温度が前記所定のしきい値以上であると判定した場合には、前記第１の画像情報を選択し、前記液晶パネルの温度が前記所定のしきい値未満と判定した場合には、前記第２の画像情報を選択する選択処理を行うことを特徴とする。
【発明の効果】
【０００９】
本発明の車両用表示装置は、色度を階調表示可能な液晶パネルと、前記液晶パネルの温度、あるいは前記液晶パネルの周囲温度を検出する検出手段と、車両からの車両情報と前記検出手段からの温度情報とに基づいて前記液晶パネルの駆動信号を生成し出力する制御手段と、を備えた車両用表示装置であって、前記制御手段の負荷を低減するとともに液晶パネルの温度変化を考慮した表示を行うことのできる車両用表示装置となる。
【発明を実施するための最良の形態】
【００１０】
以下、本発明が適用された実施の形態について添付図面を用いて説明する。
【００１１】
図１は、本発明の一実施例を示すものであり、車両用表示装置の電気的な構成を示すブロック図である。車両用表示装置は、温度センサ（検出手段）１と、制御手段２と、液晶パネル３と、を備えている。
【００１２】
温度センサ１は、この場合、液晶パネル３に接して設けられるサーミスタを適用でき、液晶パネル３の温度に応じた温度情報を制御手段２に出力してなる。なお、温度センサ１は、液晶パネル３の近傍箇所に離間して設けられるものであってもよく、液晶パネル３の周囲温度を検出することによって、液晶パネル３の温度を推定することもできる。
【００１３】
制御手段２は、車両の走行速度やエンジン回転数など各種車両情報をＣＡＮ（Ｃｏｎｔｒｏｌｌｅｒ  Ａｒｅａ  Ｎｅｔｗｏｒｋ）ケーブル等を経由して入力し、この各種車両情報に基づいて表示用の制御信号を演算処理するＣＰＵと、このＣＰＵにおける演算処理結果等を一時的に格納する読出し及び書換え可能なＲＡＭと、制御プログラムや制御データを格納したＲＯＭと、温度センサ１や液晶パネル３などとデータをやり取りするための入出力インターフェイスと、がバスを用いて接続されている。
【００１４】
また、制御手段２は、計測情報や各種警報の表示画面に対応する画像情報を記憶部に格納しており、この画像情報や車両情報、温度情報などに基づいて液晶パネル３を駆動するための駆動信号を生成し、出力する。記憶部には、異なる色味の画像情報を複数パターン格納している。記憶部は、この場合、警報画面を表示させるための画像情報（第１の画像情報）と、この警報画面と同じ警報内容で前記警報画面よりも赤味を増した表示となる画像情報（第２の画像情報）と、をそれぞれ格納している。
【００１５】
液晶パネル３は、カラーフィルタやＴＦＴを用いたアクティブ・マトリクス駆動の液晶パネル３を適用でき、制御手段２からの駆動信号に基づいて、画素毎に区画された液晶にＴＦＴを介して電圧を印加し、異なる色度にて階調表示可能にしている。また、液晶パネル３は、この場合、バックライトを備えてなり、このバックライトからの照明を液晶やカラーフィルタなどを透過することによって、所望の色度を有する表示を出力することができる。
【００１６】
次に、車両情報に基づいて警報表示を行う際の制御手段２の処理手順について図２を用いて説明する。
【００１７】
制御手段２は、入力した車両情報について異常な値や車両利用者に警報を行うべき情報があるか否かを判定する（ステップＳ１）。制御手段２は、各種センサからの車両情報に基づいて、例えば、シートベルトの未装着や各種装置の異常状態について警報を行うべきか否かを判定できる。
【００１８】
制御手段２は、警報表示が必要である場合には、温度センサ１からの温度情報に基づいて所定のしきい値以上であるか否かを判定する温度判定処理を行う（ステップＳ２）。制御手段２は、液晶の温度特性に応じたしきい値が適用でき、この場合、摂氏６０度以上であるか否かを判定している。
【００１９】
制御手段２は、温度判定処理の判定結果によって、所定のしきい値以上であったと判定した場合には、記憶部に格納された複数パターンの画像情報のうち何れかの画像情報を選択する選択処理（ステップＳ３）を行う。この場合、選択処理によって、赤味の低い画像情報（第１の画像情報）を選択する。
【００２０】
また、制御手段２は、温度判定処理の判定結果によって、所定のしきい値未満であったと判定した場合には、記憶部に格納された複数パターンの画像情報のうち、ステップＳ３の処理と異なる画像情報を選択する選択処理を行う（ステップＳ４）。この場合、選択処理によって、赤味の高い画像情報（第２の画像情報）を選択する。
【００２１】
次に制御手段２は、ステップＳ３もしくはステップＳ４の選択処理によって選択された画像情報に基づいて、液晶パネル３を駆動するための駆動信号を生成し、液晶パネル３に出力する表示処理を行う（ステップＳ５）。
【００２２】
以上の処理を繰り返すことによって、温度変化の激しい車両用表示装置であっても、液晶パネル３の温度に応じた最適な画像情報を選択し、表示出力を得ることができる。
【００２３】
斯かる車両用表示装置は、駆動信号に基づいて階調表示可能な液晶パネル３と、液晶パネル３の温度、あるいは液晶パネル３の周囲温度を検出する温度センサ１と、車両からの車両情報と温度センサ１からの温度情報とに基づいて前記駆動信号を生成し出力する制御手段２と、を備えた車両用表示装置であって、制御手段２は、異なる色味の画像情報を記憶部に複数パターン格納するとともに、温度センサ１からの温度情報が所定のしきい値以上であるか否かを判定する温度判定処理と、この温度判定処理の判定結果に基づいて前記複数パターンのうち何れかを選択する選択処理と、この選択処理によって前記駆動信号を生成し出力する表示処理と、を行う。
【００２４】
したがって、液晶パネルの温度に応じて、予め記憶部に格納された画像情報を選択するだけでよいため、最適な駆動信号を生成するための制御手段の負荷を低減するとともに液晶パネルの温度変化を考慮した表示を行うことのできる車両用表示装置となる。
【００２５】
また、制御手段２は、前記駆動信号に用いるための第１の画像情報と、この第１の画像情報よりも赤味を増した第２の画像情報と、を記憶部に格納するとともに、前記温度判定処理の判定結果に基づいて、前記液晶パネル３の温度が前記所定のしきい値以上であると判定した場合には、前記第１の画像情報を選択し、前記液晶パネル３の温度が前記所定のしきい値未満と判定した場合には、前記第２の画像情報を選択する選択処理を行うことによって、液晶パネルが高温になることで赤味が強過ぎたり、液晶パネルが低温になることで赤味が弱過ぎてしまうことを防止できる。
【００２６】
また、前記制御手段２は、前記車両情報に基づいて前記表示手段に表示させるための警報画面について第１の画像情報と、この第１の画像情報よりも赤味を増した第２の画像情報と、を記憶部に格納するとともに、前記温度判定処理の判定結果に基づいて、前記液晶パネル３の温度が前記所定のしきい値以上であると判定した場合には、前記第１の画像情報を選択し、前記液晶パネル３の温度が前記所定のしきい値未満と判定した場合には、前記第２の画像情報を選択する選択処理を行うことによって、警報画像に用いられる赤色表示について、液晶パネルの温度に応じた最適な色味で表示出力できる。
【００２７】
なお、本発明の車両用表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。
【図面の簡単な説明】
【００２８】
【図１】本発明の実施の形態の車両用表示装置の概略を示すブロック図。
【図２】同上実施の形態の制御手段による処理手順を示す図。
【符号の説明】
【００２９】
１  温度センサ（検出手段）
２  制御手段
３  液晶パネル
【図１】
2009139174.tif 000003
【図２】
2009139174.tif 000004